(57)【要約】      （修正有）【課題】適切な配光を実現する光源としてＬＥＤ等の発光素子を用いた照明器具を提供する。【解決手段】照明器具は、天井面Ｃに取付けられる本体１と、本体１の背面側に設けられる複数の間接光光源部９と、間接光光源部９に囲まれた領域に配設され、天井面Ｃに当接する当接部を備える取付用ばね部材１０と、光出射方向が本体１の前面側となるように配設される複数の主光源発光素子（光源２）と、本体１の前面側を覆うように設けられるカバー部材と、を具備する。【選択図】図１８
2020145209.tif 000002
【特許請求の範囲】
【請求項１】
天井面に取付けられる本体と；
前記本体の背面側に設けられる複数の間接光発光素子と；
前記間接光発光素子に囲まれた領域に配設され、前記天井面に当接する当接部と；
光出射方向が前記本体の前面側となるように配設される複数の主光源発光素子と；
前記本体の前面側を覆うように設けられるカバー部材と；
を具備することを特徴とする照明器具。
【発明の詳細な説明】
【技術分野】
【０００１】
本発明の実施形態は、光源としてＬＥＤ等の発光素子を用いた照明器具に関する。
【背景技術】
【０００２】
従来、一般住宅用の照明器具においては、主光源に環状の蛍光ランプを用い、常夜灯として主光源とは別に、常夜灯に適する光出力の比較的小さな小形の電球が用いられている。
【０００３】
一方、近時、ＬＥＤ等の発光素子の高出力化、高効率化及び普及化に伴い、光源として複数の発光素子を用いて長寿命化が期待できる照明器具が開発されている。
【先行技術文献】
【特許文献】
【０００４】
【特許文献１】特開２００５−１４２１３７号公報
【発明の概要】
【発明が解決しようとする課題】
【０００５】
しかしながら、上述した従来技術では、適切な配光を実現しているとは言えない場合がある。
【０００６】
本発明は、上記課題に鑑みなされたもので、適切な配光を実現することを目的とする。
【課題を解決するための手段】
【０００７】
本発明の実施形態による照明器具は、天井面に取付けられる本体と、前記本体の背面側に設けられる複数の間接光発光素子と、前記間接光発光素子に囲まれた領域に配設され、前記天井面に当接する当接部と、光出射方向が前記本体の前面側となるように配設される複数の主光源発光素子と、前記本体の前面側を覆うように設けられるカバー部材と、を具備する。
【発明の効果】
【０００８】
本発明の実施形態によれば、適切な配光を実現することができる。
【図面の簡単な説明】
【０００９】
【図１】本発明の第１の実施形態に係る照明器具を示す斜視図である。
【図２】同照明器具を示す分解斜視図である。
【図３】同照明器具においてカバー部材及び点灯装置カバーを取外して下方から見て    示す概略の平面図である。
【図４】同照明器具を示す断面図である。
【図５】図４中、Ａ部を示す拡大図である。
【図６】同照明器具における基板を示す平面図である。
【図７】同照明器具における光源部と拡散部材とを組み合わせた状態で一部拡大して    示す断面図である。
【図８】同照明器具における光源部と拡散部材とを組み合わせた状態で補助光源とし    ての発光素子の部分を拡大して示す断面図である。
【図９】本発明の第２の実施形態に係る照明器具において、特定の基板を示す平面図    である。
【図１０】同照明器具における光源部と拡散部材とを組み合わせた状態を示す断面図    である。
【図１１】本発明の第３の実施形態に係る照明器具において、特定の基板を示す平面    図である。
【図１２】同照明器具における光源部と拡散部材とを組み合わせた状態を示す断面図    である。
【図１３】本発明の第４の実施形態に係る照明器具を示す斜視図である。
【図１４】同照明器具を示す前面側の分解斜視図である。
【図１５】同照明器具を示す背面側の分解斜視図である。
【図１６】同照明器具において、カバー部材及び光源部カバーを取外して示す平面図    である。
【図１７】同照明器具を示す背面側の斜視図である。
【図１８】同照明器具を天井面に取付けた状態を示す縦断面図である。
【発明を実施するための形態】
【００１０】
以下、本発明の第１の実施形態について図１乃至図８を参照して説明する。各図においてリード線等による配線接続関係は省略して示している場合がある。なお、同一部分には同一符号を付し、重複した説明は省略する。
【００１１】
本実施形態の照明器具は、器具取付面に設置された配線器具としての引掛けシーリングボディに取付けられて使用される一般住宅用のものであり、基板に実装された複数の発光素子を有する光源部から放射される光によって室内の照明を行うものである。
【００１２】
図１乃至図４において、照明器具は、本体１と、光源部２と、拡散部材３と、点灯装置４と、点灯装置カバー５と、取付部６と、カバー部材７とを備えている。また、器具取付面としての天井面Ｃに設置された引掛けシーリングボディＣｂに電気的かつ機械的に接続されるアダプタＡを備えている。このような照明器具は、丸形の円形状の外観に形成され、前面側を光の照射面とし、背面側を天井面Ｃへの取付面としている。
【００１３】
図２乃至図５に示すように、本体１は、冷間圧延鋼板等の金属材料の平板から円形状に形成されたシャーシであり、略中央部に、後述する取付部６を配設するための円形状の開口１１が形成されている。また、光源部２が取付けられる内面側の平坦部１２の外周側には、背面側へ向かう段差部１３が形成されて樋状の凹部１４が形成されている。さらに、本体１の背面側には、弾性部材１５が設けられている。
【００１４】
光源部２は、図６の参照を加えて説明するように、基板２１と、この基板２１に実装された主光源としての複数の発光素子２２とを備えている（図２においては発光素子２２の図示を省略している）。基板２１は、所定の幅寸法を有した円弧状の４枚の基板２１が繋ぎ合わされるように配設されて全体として略サークル状に形成されている。つまり、全体として略サークル状に形成された基板２１は、４枚の分割された基板２１から構成されている。そして、これら基板２１相互は、分割部ＤにおいてコネクタＣｎによって電気的に接続されている（図３参照）。
【００１５】
このように分割された基板２１を用いることにより、基板２１の分割部Ｄで熱的収縮を吸収して基板２１の変形を抑制することができる。なお、複数に分割された基板２１を用いることが好ましいが、略サークル状に一体的に形成された一枚の基板を用いるようにしてもよい。
【００１６】
基板２１は、絶縁材であるガラスエポキシ樹脂（ＦＲ−４）の平板からなり、表面側に整は銅箔によって配線パターンが形成されている。また、配線パターンの上、つまり、基板２１の表面には反射層として作用する白色のレジスト層が施されている。なお、基板２１の材料は、絶縁材とする場合には、セラミックス材料又は合成樹脂材料を適用できる。さらに、金属製とする場合は、アルミニウム等の熱伝導性が良好で放熱性に優れたべース板の一面に絶縁層が積層された金属製のべース基板を適用できる。
【００１７】
発光素子２２は、ＬＥＤであり、表面実装型のＬＥＤパッケージである。このＬＥＤパッケージが複数個サークル状の基板２１の周方向に沿って、つまり、取付部６を中心とする略円周上に複数列、本実施形態では、内周側及び外周側の２列に亘って実装されている。また、ＬＥＤパケージには、発光色が昼白色Ｎのものと電球色Ｌのものとが用いられており、これらが交互に並べられていて、各列の隣接する発光素子２２は略等間隔を空けて配設されている。この昼白色Ｎと電球色ＬのＬＥＤパッケージに流れる電流等を調整することにより調色が可能となっている。
【００１８】
さらに、図６に示すように、円周方向に隣接する発光素子２２間の離間距離Ｌ1は、半
径方向に隣接する発光素子２２間の離間距離Ｌ2より短くなるように配置されている。つ
まり、Ｌ1＜Ｌ2の関係となっている。
【００１９】
なお、特定の基板２１ａ（図３中、右側、図６中、右上側）には、補助光源として常夜灯用の発光素子２２ａが主光源である発光素子２２と同一基板に実装されている。この発光素子２２ａは、主光源である発光素子２２の内周側及び外周側の列間に配置されており、サークル状に実装された主光源における電球色Ｌのものと同じ仕様のＬＥＤパッケージが用いられている。これにより部材の共通化が図られていて、実装工数の効率化が可能となる。
【００２０】
さらに、常夜灯用の発光素子２２ａと主光源の発光素子２２とは、その配置の向きが約９０度異なっている。つまり、常夜灯用の発光素子２２ａは、その長方形状をなす外形にける長辺が周方向に向くように配置されている。これにより複数の主光源の発光素子２２との配置のバランスがとられている。
【００２１】
また、この常夜灯用の発光素子２２ａは、主光源である発光素子２２とは別に独立して調光可能となっている。したがって、使用者が所望の明るさに調整して常夜灯として点灯させることができる。
【００２２】
仮に、常夜灯用の発光素子２２ａを主光源としての発光素子２２が実装された基板２１とは別の基板に実装する場合には、リード線等によって配線接続関係を構成する必要があり、構成が複雑化する可能性がある。本実施形態においては、主光源である発光素子２２と常夜灯用の発光素子２２ａとを同一基板に実装するようにしたので、リード線等を省略又はその配線長を短くすることが可能で、配線接続関係を簡素化できる。
【００２３】
さらに、図３に示すように、特定の基板２１ａの内周側には、電源供給接続部２３が設けられている。この電源供給接続部２３は、具体的には、コネクタであり、後述する点灯装置４から導出される出力線Ｗが接続され、基板２１の配線パターンを介して主光源としての各発光素子２２や補助光源としての発光素子２２ａに電力が供給されるようになっている。
【００２４】
この電源供給接続部２３と常夜灯用の発光素子２２ａとは、分割された基板２１のうち、１枚の特定の基板２１ａに設けられている。しかも、この電源供給接続部２３と常夜灯用の発光素子２２ａとは、離間距離が長くならないように配置されている。つまり、常夜灯用の発光素子２２ａは、電源供給接続部２３から取付部６を中心とする略半径方向に配置されている。したがって、電源供給接続部２３と常夜灯用の発光素子２２ａとは、半径方向の同一直線上に配置されるようになり、相互の離間距離が短くなるようになっている。
【００２５】
このため、電源供給接続部２３から常夜灯用の発光素子２２ａまでの配線接続関係、具体的には、配線パターンのレイアウトを簡素化できる効果を奏することが可能となる。
【００２６】
なお、発光素子２２は、必ずしも複数列に実装する必要はない。例えば、周方向に沿って１列に実装するようにしてもよい。所望する出力に応じて発光素子２２の列数や個数を適宜設定することができる。
【００２７】
ＬＥＤパッケージは、概略的にはセラミックスや合成樹脂で形成されたキャビティに配設されたＬＥＤチップと、このＬＥＤチップを封止するエポキシ系樹脂やシリコーン樹脂等のモールド用の透光性樹脂とから構成されている。ＬＥＤチップは、青色光を発光する青色のＬＥＤチップである。透光性樹脂には、昼白色や電球色の光を出射できるようにするために蛍光体が混入されている。
【００２８】
なお、ＬＥＤは、ＬＥＤチップを直接基板２１に実装するようにしてもよく、また、砲弾型のＬＥＤを実装するようにしてもよく、実装方式や形式は、格別限定されるものではない。
【００２９】
拡散部材３は、レンズ部材であり、図７及び図８の参照を加えて説明するように、例えば、ポリカーボネートやアクリル樹脂等の絶縁性を有する透明合成樹脂からなり、前記発光素子２２の配置に沿って略サークル状に一体的に形成されていて、発光素子２２を含めて基板２１の実装面側の全面を覆うように配設されている。
【００３０】
また、レンズ部材は、図５及び図７に代表して示すように、略サークル状の内周側部分と外周側部分とに発光素子２２に対向して円周方向に２条の山形であって、断面形状が一定の突条部３１が連続して形成されている。この突条部３１の内側には、Ｕ字状の溝３２が円周方向に沿って連続して形成されている。したがって、Ｕ字状の溝３２は、複数の発光素子２２と対向して配置されるようになっており、複数の発光素子２２は、Ｕ字状の溝３２内に収められて覆われている状態となっている。
【００３１】
さらに、これら突条部３１からは幅方向に延出する平坦部３３が形成されており、これにより基板２１の実装面側の全面が覆われるようになっている。
【００３２】
このように構成されたレンズ部材によれば、図５に示すように複数の発光素子２２から出射された光は、突条部３１によって、主として円周上の内周方向及び外周方向に拡散されて放射される。すなわち、発光素子２２から出射された光は、発光素子２２が配置されたところのサークル状の中心を原点とする半径方向へ主として拡散して放射されるようになる。
【００３３】
したがって、レンズ部材によって複数の発光素子２２から出射される光による照射光の均斉度を向上することが可能となる。さらに、各発光素子２２の輝度による粒々感を抑制することができる。この場合、拡散による配光角度を１２０度〜１６０度程度に設定するのが望ましい。
【００３４】
さらに、レンズ部材は、発光素子２２から出射される光を主として半径方向へ拡散するが、円周方向に隣接する発光素子２２間の離間距離Ｌ1は、半径方向に隣接する発光素子
２２間の離間距離Ｌ2より短くなるように配置されているので、発光面の輝度の均一化を
図ることができる。
【００３５】
また、拡散部材３には、平坦部３３が形成されて基板２１の実装面側の全面を覆うようになっているので、充電部が拡散部材３によって覆われ保護される。
【００３６】
図８に代表して示すように、電源供給接続部２３及び常夜灯用の発光素子２２ａが配設される部位に対応する拡散部材３の部分は、これらを覆うように略平坦状に形成されている。この場合、常夜灯用の発光素子２２ａは、２条の突条部３１間に、突状部３１から所定寸法離間して配置されている。したがって、発光素子２２ａから出射される光が突状部３１が障害物となって遮光されてしまうのを抑制することができる。また、常夜灯用の発光素子２２ａに対応して突状部３１は配置されていないので、発光素子２２ａは、比較的指向性を有する点光源として機能するようになる。
【００３７】
なお、拡散部材３は、略サークル状に一体的に形成されていなくてもよい。例えば、分割された基板２１に対応して、これらの基板２１ごとに分割して形成するようにしてもよい。この場合には、一つの基板２１に実装された複数の発光素子２２ごとに連続して拡散部材３によって覆われるようになる。
【００３８】
さらに、レンズ部材の突状部３１の断面形状は、種々の形状を採用することができる。例えば、非対称の形状として、内周側に向かう光の拡散効果と外周側に向かう光の拡散効果とを異なるようにすることができる。この場合、内周側に向かう光の拡散効果を外周側に向かう光の拡散効果より大きなものとして内周側を明るくすることが可能となる。また、発光素子２２から出射される光を全反射させる面を形成し、拡散を効果的に行うようにしてもよい。さらにまた、凹状面を形成して拡散効果を実現するようにしてもよい。
【００３９】
加えて、拡散部材３は、レンズ部材に限らず、拡散シート等を適用するようにしてもよい。
【００４０】
上記のように構成された光源部２は、図４及び図５に代表して示すように、基板２１が取付部６の周囲に位置して、発光素子２２の実装面が前面側、すなわち、下方の照射方向に向けられて配設されている。また、基板２１の裏面側が本体１の内面側の平坦部１２に密着するように面接触して取付けられている。具体的には、基板２１の前面側から拡散部材３が重ね合わされ、この拡散部材３を例えば、ねじＳ等の固定手段によって本体１に取付けることにより、基板２１は、本体１と拡散部材３との間に挟み込まれて押圧固定されるようになっている。つまり、１本のねじＳによって基板２１と拡散部材３とが共締めされている。
【００４１】
したがって、基板２１は、本体１と熱的に結合され、基板２１からの熱が裏面側から本体１に伝導され放熱されるようになっている。なお、基板２１と本体１との面接触は、基板２１の裏面側の全面が本体１に接触する場合に限らない。部分的な面接触であってもよい。
【００４２】
加えて、拡散部材３における平坦部３３は、基板２１の実装面側に密着するように面接触しているので、基板２１の実装面側から熱が拡散部材３に伝わり、拡散部材３を経由して放熱することが可能となる。つまり、基板２１の前面側からも放熱できるようになっている。
【００４３】
点灯装置４は、図２乃至図４に示すように、回路基板４１と、この回路基板４１に実装された制御用ＩＣ、トランス、コンデンサ等の回路部品４２とを備えている。回路基板４１は、取付部６の周囲を囲むように略円弧状に形成されていて、アダプタＡ側が電気的に接続されて、アダプタＡを介して商用交流電源に接続されている。したがって、点灯装置４は、この交流電源を受けて直流出力を生成し、出力線Ｗから電源供給接続部２３を経てその直流出力を発光素子２２に供給し、発光素子２２を点灯制御するようになっている。
【００４４】
このような点灯装置４は、取付部６と光源部２、すなわち、基板２１との間に配設されている。
【００４５】
点灯装置カバー５は、図２及び図４に示すように、冷間圧延鋼板等の金属材料によって略短円筒状に形成され、点灯装置４を覆うように本体１に取付けられている。側壁５１は、背面側に向かって拡開するように傾斜状をなしており、前面壁５２には、取付部６と対応するように開口部５３が形成されている。したがって、発光素子２２から出射される一部の光は、側壁５１によって前面側に反射され有効に利用されるようになる。また、この開口部５３に周縁には背面側へ凹となる円弧状のガイド凹部５４が形成されている。
【００４６】
取付部６は、略円筒状に形成されたアダプタガイドであり、このアダプタガイドの中央部には、アダプタＡが挿通し、係合する係合口６１が設けられている。このアダプタガイドは、本体１の中央部に形成された開口１１に対応して配設されている。アダプタガイドの外周部には、この外周部から突出するように基台が形成されていて、この基台には赤外線リモコン信号受信部や照度センサ等の電気的補助部品６２が配設されている。
【００４７】
なお、取付部６は、必ずしもアダプタガイド等と指称される部材である必要はない。例えば、本体１等に形成される開口であってもよく、要は、配線器具としての引掛けシーリングボディＣｂに対向し、アダプタＡが係合される部材や部分を意味している。
【００４８】
カバー部材７は、アクリル樹脂等の透光性を有し、乳白色を呈する拡散性を備えた材料から略円形状に形成されており、中央部には不透光性の円形状の化粧カバー７１が取付けられている。また、この化粧カバー７１には、前記電気的補助部品６２と対向するように略三角形状の透光性を有する受光窓７２が形成されている。さらに、カバー部材７の内面側の中央寄りには、内面方向に突出する突出ピン７３が形成されている。
【００４９】
そして、カバー部材７は、光源部２を含めた本体１の前面側を覆うように本体１の外周縁部に着脱可能に取付けられるようになっている。具体的には、カバー部材７を回動することによって、カバー部材７に設けられた図示しないカバー取付金具を本体１の外周縁部の凹部１４に配設されたカバー受金具７５に係合することにより取付けられる。
【００５０】
このようにカバー部材７が本体１に取付けられた状態においては、主として図４に示すように、カバー部材７の内面側は、点灯装置カバー５の前面壁５２に面接触するようになる。したがって、点灯装置４等から発生する熱を点灯装置カバー５へ伝導し、さらにカバー部材７へ伝導させて放熱を促進することが可能となる。
【００５１】
また、拡散部材３とカバー部材７との間の距離は、２０〜６０ｍｍ、好ましくは３０〜５０ｍｍに設定されている。これにより、照射光の均斉度が良好となり、基板２１の実装面側から拡散部材３に伝導された熱がカバー部材７を経由して効果的に放熱されるようになる。
【００５２】
ここで、カバー部材７は、回動させて本体１に取付けられるが、受光窓７２の位置を電気的補助部品６２と対向するように位置合わせをする必要がある。このため、本実施形態においては、詳細な説明は省略するが、カバー部材７側に形成された突出ピン７３と点灯装置カバー５に形成されたガイド凹部５４とによって位置規制手段が構成されている。この位置規制手段によって受光窓７２が電気的補助部品６２と対向して位置されるようになり、例えば、赤外線リモコン信号受信部が赤外線リモコン送信器からの制御信号を受信できるようになる。
【００５３】
アダプタＡは、天井面Ｃに設置された引掛けシーリングボディＣｂに、上面側に設けられた引掛刃によって電気的かつ機械的に接続されるもので略円筒状をなし、周壁の両側には一対の係止部Ａ1が、内蔵されたスプリングによって常時外周側へ突出するように設け
られている。この係止部Ａ1は下面側に設けられたレバーを操作することにより没入する
ようになっている。また、このアダプタＡからは、前記点灯装置４へ接続する電源コードが導出されていて、点灯装置４とコネクタを介して接続されるようになっている（図３参照）。
【００５４】
次に、照明器具の天井面Ｃへの取付状態について図４を参照して説明する。まず、予め天井面Ｃに設置されている引掛けシーリングボディＣｂにアダプタＡが電気的かつ機械的に接続されている。この状態から取付部６としてのアダプタガイドの係合口６１をアダプタＡに合わせながら、アダプタＡの係止部Ａ1がアダプタガイドの係合口６１に確実に係
合するまで本体１を下方から手で押し上げて取付け操作を行う。そして、カバー部材７を本体１に取付ける。この取付完了状態が図４に示す状態であり、このとき、弾性部材１５が天井面Ｃと本体１の背面側との間に密着状態で介在され、照明器具は、天井面Ｃに固定状態となる。
【００５５】
また、照明器具を取外す場合には、カバー部材７を取外し、アダプタＡに設けられているレバーを操作してアダプタＡの係止部Ａ1の係合を解くことにより取外すことができる
。
【００５６】
照明器具の天井面Ｃへの取付状態において、点灯装置４に電力が供給されると、基板２１を介して発光素子２２に通電され、各発光素子２２が点灯する。発光素子２２から出射された光は、複数の発光素子２２を連続して覆う拡散部材３によって半径方向へ拡散されるとともに、前面側へ放射される。前面側へ放射された光は、カバー部材７を透過して外方へ照射される。したがって、照射光の均斉度の向上を図ることができるとともに、各発光素子２２の輝度による粒々感を抑制することが可能となる。
【００５７】
また、半径方向の内周側へ向かう一部の光は、点灯装置カバー５における傾斜状の側壁５１によって前面側に反射され有効に利用されるようになる。
【００５８】
さらに、常夜灯用の発光素子２２ａの点灯時には、発光素子２２ａから出射される光が突状部３１に遮光されてしまうのを抑制することができる。
【００５９】
一方、発光素子２２から発生する熱は、基板２１の裏面側が本体１に面接触しているため、本体１に効果的に伝導され、広い面積で放熱されるようになる。また、基板２１の外周側近傍には、基板２１の外周に沿って段差部１３が形成されているため、この段差部１３によって放熱面積を増大させることができ、本体１外周部での放熱効果を高めることが可能となる。加えて、この段差部１３は、本体１の補強効果を奏することができるものとなっている。
【００６０】
また、点灯装置４は、取付部６と基板２１との間に配設されているため、点灯装置４は、基板２１から熱的影響を受けるのを軽減される。これは、基板２１の熱は、本体１の外周方向に向かって伝導し、放熱される傾向にあることに起因するものである。
【００６１】
さらに、カバー部材７は、点灯装置カバー５に面接触するようになっているので、点灯装置４から発生する熱を点灯装置カバー５へ伝導し、さらにカバー部材７へ伝導させて放熱をさせることができる。
【００６２】
加えて、拡散部材３における平坦部３３は、基板２１の実装面側に面接触しているので、基板２１の実装面側から拡散部材３を経由して前面側からも放熱することが可能となる。また、この場合、拡散部材３は、基板２１の実装面側の全面を覆うようになっているので充電部が保護されるようになる。
【００６３】
以上のように本実施形態によれば、主光源である発光素子２２と常夜灯用の発光素子２２ａとを同一基板に実装するようにしたので、リード線等を省略又はその配線長を短くすることが可能で、配線接続関係を簡素化できる。しかも、電源供給接続部２３と常夜灯用の発光素子２２ａとの相互の離間距離が短くなっているので、一層配線接続関係の簡素化が可能となる照明器具を提供することができる。
【００６４】
次に、本発明の第２の実施形態について図９及び図１０を参照して説明する。図９は、特定の基板２１ａを示しており、図１０は、特定の基板２１ａに拡散部材３が配設された状態における断面を示している。なお、第１の実施形態と同一又は相当部分には同一符号を付し、重複した説明は省略する。
【００６５】
本実施形態においては、図９に示すように、補助光源としての常夜灯用の発光素子２２ａを主光源である発光素子２２の内周側の列の内側に実装するようにしたものである。このような構成においては、図１０に示すように、夜灯用の発光素子２２ａは、拡散部材３の突状部３１から所定寸法離間して配置されるようになる。
【００６６】
したがって、第１の実施形態と同様に、発光素子２２ａから出射される光が突状部３１が障害物となって遮光されてしまうのを抑制することができる。
【００６７】
次に、本発明の第３の実施形態について図１１及び図１２を参照して説明する。図１１は、特定の基板２１ａを示しており、図１２は、特定の基板２１ａに拡散部材３が配設された状態における断面を示している。なお、第１の実施形態と同一又は相当部分には同一符号を付し、重複した説明は省略する。
【００６８】
本実施形態においては、図１１に示すように、補助光源としての常夜灯用の発光素子２２ａを主光源である発光素子２２の外周側の列の外側に実装するようにしたものである。このような構成においても、図１２に示すように、夜灯用の発光素子２２ａは、拡散部材３の突状部３１から所定寸法離間して配置されるようになる。
【００６９】
したがって、第１の実施形態と同様に、発光素子２２ａから出射される光が突状部３１が障害物となって遮光されてしまうのを抑制することができる。
【００７０】
次に、本発明の第４の実施形態について図１３乃至図１８を参照して説明する。なお、本実施形態においては、第１の実施形態と同一又は相当部分には同一符号を付し、簡略化して説明する場合がある。
【００７１】
本実施形態の照明器具は、第１の実施形態と同様に、器具取付面に設置された配線器具としての引掛けシーリングボディに取付けられて使用される一般住宅用のものであり、基板に実装された複数の発光素子を有する光源部から放射される光によって室内の照明を行うものである。
【００７２】
照明器具は、本体１と、光源部２と、光源部カバー３と、点灯装置４と、点灯装置カバー５と、センター部材Ｃｍと、取付部としてのアダプタガイド６と、カバー部材７とを備えている。さらに、照明器具は、光センサ８と、間接光光源部９とを備えている。
【００７３】
また、器具取付面としての天井面Ｃに設置された引掛けシーリングボディＣｂに電気的かつ機械的に接続されるアダプタＡ（図１８参照）と、赤外線リモコン送信器Ｒｃとを備えていて、丸形の円形状の外観に形成され、前面側を光の照射面とし、背面側を天井面Ｃへの取付面としている。
【００７４】
図１４乃至図１８に示すように、本体１は、冷間圧延鋼板等の金属材料の平板から円形状に形成されたシャーシであり、略中央部に、後述するアダプタガイド６が配置される円形状の開口１１が形成されている。この開口１１は、円形状の一部が外方に突出してアダプタガイド６の外形と略等しい形状に形成されている。
【００７５】
開口１１の外周側には、四角形状で角部がＲ形状をなし、背面側へ突出した突出部１２が形成されている。また、この突出部１２の外周側には、前面側へ突出した円形環状の突出部１３が形成されている。さらに、この突出部１３の外周側には、突出部１３と半径方向に連続するように背面側に突出、換言すれば、前面側に凹部を形成する円形環状の突出部１４が形成されている。
【００７６】
突出部１４によって形成される凹部には、カバー部材７が着脱可能に取付けられるカバー部材受金具７５が配置されている。これら突出部１２、１３、１４は、主としてシャーシに取付けられる部材の取付部として機能し、また、シャーシの強度を補強する機能や放熱面積を増加する機能を有している。
【００７７】
光源部２は、図１４、図１６及び図１８に示すように、基板２１と、この基板２１に実装された複数の発光素子２２とを備えている。基板２１は、所定の幅寸法を有した円弧状の４枚の基板２１が繋ぎ合わされるように配設されて全体として略サークル状に形成されている。つまり、全体として略サークル状に形成された基板２１は、４枚の分割された基板２１から構成されている。
【００７８】
このように分割された基板２１を用いることにより、基板２１の分割部で熱的収縮を吸収して基板２１の変形を抑制することができる。なお、複数に分割された基板２１を用いることが好ましいが、略サークル状に一体的に形成された一枚の基板を用いるようにしてもよい。
【００７９】
基板２１は、絶縁材であるガラスエポキシ樹脂（ＦＲ−４）の平板からなり、表面側には銅箔によって配線パターンが形成されている。発光素子２２は、この配線パターンに電気的に接続されるようになっている。また、配線パターンの上、つまり、基板２１の表面には反射層として作用する白色のレジスト層が施されている。
【００８０】
なお、基板２１の材料は、絶縁材とする場合には、セラミックス材料又は合成樹脂材料を適用できる。さらに、金属製とする場合は、アルミニウム等の熱伝導性が良好で放熱性に優れたべース板の一面に絶縁層が積層された金属製のべース基板を適用できる。
【００８１】
発光素子２２は、ＬＥＤであり、表面実装型のＬＥＤパッケージである。このＬＥＤパッケージが複数個サークル状の基板２１の周方向に沿って、複数列、本実施形態では、半径の異なる略同心円の周上に３列に亘って実装されている。つまり、内周側の列、外周側の列及び、これら内周側の列と外周側の列との中間の列に亘って実装されている。
【００８２】
ＬＥＤパッケージは、概略的にはセラミックスや合成樹脂で形成されたキャビティに配設されたＬＥＤチップと、このＬＥＤチップを封止するエポキシ系樹脂やシリコーン樹脂
等のモールド用の透光性樹脂とから構成されている。
【００８３】
内周側の列及び外周側の列に実装されているＬＥＤパッケージには、発光色が昼白色（Ｎ）のものと電球色（Ｌ）のものとが用いられており、これらが円周上に略等間隔を空けて交互に並べられて配設されている。ＬＥＤチップは、青色光を発光するＬＥＤチップである。透光性樹脂には、蛍光体が混入されており、昼白色（Ｎ）、電球色（Ｌ）の白色系の光を出射できるようにするために、主として青色の光とは補色の関係にある黄色系の光を放射する黄色蛍光体が使用されている。
【００８４】
中間の列に実装されているＬＥＤパッケージには、赤色（Ｒ）、緑色（Ｇ）、青色（Ｂ）に発光するものが用いられている。したがって、ＬＥＤチップは、それぞれ赤色、緑色、青色の光に発光するＬＥＤチップであり、これらＬＥＤチップがモールド用の透光性樹脂によって封止されている。
【００８５】
これら赤色（Ｒ）、緑色（Ｇ）、青色（Ｂ）に発光するＬＥＤパッケージは、円周上に順次、赤色（Ｒ）、緑色（Ｇ）、青色（Ｂ）と連続的に略等間隔を空けて配置されている。
【００８６】
なお、ＬＥＤパッケージにおける赤色（Ｒ）、緑色（Ｇ）、青色（Ｂ）の配列は、特定されず順不同でよく、例えば、緑色（Ｇ）、赤色（Ｒ）、青色（Ｂ）の順に配列してもよい。また、隣接するＬＥＤパッケージは、異なる発光色のものを配置するのが好ましいが、格別限定されるものではない。一例としては、赤色（Ｒ）、赤色（Ｒ）、緑色（Ｇ）、緑色（Ｇ）、青色（Ｂ）、青色（Ｂ）のように同色を２個ずつ連続的に配置することも可能である。
【００８７】
このように半径の異なる略同心円の周上に列をなして昼白色（Ｎ）、電球色（Ｌ）に発光する複数の発光素子２２が配設され、前記円と略中心を同じくする円の周上であって、前記昼白色（Ｎ）、電球色（Ｌ）に発光する発光素子２２の列間に列をなして赤色（Ｒ）、緑色（Ｇ）、青色（Ｂ）に発光する複数の発光素子２２が配設されている。
【００８８】
したがって、発光色の異なる複数の発光素子２２、すなわち、昼白色（Ｎ）、電球色（Ｌ）赤色（Ｒ）、緑色（Ｇ）、青色（Ｂ）に発光する発光素子２２が配設されているので、これらが混光されることにより表現可能な光色の範囲が広く、発光素子２２の出力を調整することにより光色を適宜調色することが可能となる。
【００８９】
なお、主として図１６に示すように、特定の基板２１ａ（図１６中、右上側）には、補助光源として常夜灯用の発光素子２２ａが主光源である発光素子２２と同一基板に実装されている。この発光素子２２ａは、主光源である発光素子２２の内周側に配置されており、サークル状に実装された主光源における電球色Ｌのものと同じ仕様のＬＥＤパッケージが用いられている。
【００９０】
さらに、特定の基板２１ａには、赤外線リモコン信号受光素子２５及びチャンネル設定スイッチ２６が実装されている。赤外線リモコン信号受光素子２５は、赤外線受光素子であり、光電変換素子であるフォトダイオード等から構成されており、リモコン送信器Ｒｃから送信される赤外線制御信号を受信して発光素子２２の発光状態を制御するように動作する。
【００９１】
チャンネル設定スイッチ２６は、リモコン送信器Ｒｃから送信される信号が送信可能な範囲内に複数の照明器具が設置されている場合に、照明器具を識別可能に赤外線リモコン信号受光素子２５のチャンネルを切換えるチャンネル設定スイッチである。したがって、このスイッチ２６の設定とリモコン送信器Ｒｃに設けられているチャンネル設定スイッチとの設定が一致している場合にのみ、リモコン送信器Ｒｃの操作により特定の照明器具を制御でき、複数の照明器具が同時に操作されることが防止される。
【００９２】
このように主光源である発光素子２２が実装された基板２１と同一基板に、補助光源としての発光素子２２ａ及び赤外線リモコン信号受光素子２５、さらには、チャンネル設定スイッチ２６を実装するようにしたので、リード線等を省略又はその配線長を短くすることが可能で、配線接続関係を簡素化できる。
【００９３】
仮に、常夜灯用の発光素子２２ａや赤外線リモコン信号受光素子２５を主光源としての発光素子２２が実装された基板２１とは別の基板に実装する場合には、リード線等によって配線接続関係を構成する必要があり、構成が複雑化する可能性がある。
【００９４】
また、これら補助光源としての発光素子２２ａ、赤外線リモコン信号受光素子２５及びチャンネル設定スイッチ２６は、主光源である発光素子２２の内周側に配置されているので、外周側に配置される場合に比し、実装領域をコンパクトに形成することができる。
【００９５】
ところで、主光源である発光素子２２が実装された基板２１と同一基板には、後述する光センサ８は実装されていない。光センサ８は、別の基板に実装されて構成されている。その理由は、光センサ８は、周囲の明るさを検知して発光素子２２の発光状態を自動的に制御する機能を有しているが、この機能を備えている照明器具と、この機能を備えていない照明器具との２つのタイプの照明器具の提供を実現しやすくするためである。
【００９６】
つまり、発光状態を自動的に制御する機能を備えていない照明器具を展開する場合には、光センサ８を容易に省略して実現することが可能となる。
【００９７】
また、常夜灯用の発光素子２２ａは、主光源である発光素子２２とは別に独立して調光可能となっている。したがって、使用者が所望の明るさに調整して常夜灯として点灯させることができる。
【００９８】
なお、ＬＥＤは、ＬＥＤチップを直接基板２１に実装するようにしてもよく、また、砲弾型のＬＥＤを実装するようにしてもよく、実装方式や形式は、格別限定されるものではない。
【００９９】
このように構成された光源部２は、図１８に代表して示すように、基板２１が本体１の開口１１の周囲に位置して、発光素子２２の実装面が前面側、すなわち、下方の照射方向に向けられて配設されている。また、基板２１の裏面側が本体１の内面側に密着するように例えば、ねじ等の固定手段によって取付けられている。したがって、基板２１は、本体１と熱的に結合され、基板２１からの熱が裏面側から本体１に伝導され放熱されるようになっている。
【０１００】
図１４及び図１８に示すように、光源部２の前面側には、光源部カバー３が配設されている。光源部カバー３は、例えば、ポリカーボネートやアクリル樹脂等の絶縁性を有する透明合成樹脂からなり、前記発光素子２２の配置に沿って略サークル状に一体的に形成されていて、発光素子２２を含めて基板２１の実装面側の全面を覆うように配設されている。
【０１０１】
したがって、発光素子２２から出射される光は、光源部カバー３を透過するようになる。また、基板２１の実装面側の全面を覆うようになっているので、充電部が光源部カバー３によって覆われ絶縁性が確保される。
【０１０２】
点灯装置４は、図１５及び図１８に代表して示すように、回路基板４１と、この回路基板４１に実装された制御用ＩＣ、トランス、コンデンサ等の回路部品４２とを備えている。回路基板４１は、中央部の周囲を囲むように板状に形成されていて、その表面側に回路部品４２が実装されている。
【０１０３】
回路基板４２には、アダプタＡ側が電気的に接続されて、アダプタＡを介して商用交流電源に接続される。したがって、点灯装置４は、この交流電源を受けて直流出力を生成し、リード線を介してその直流出力を発光素子２２に供給し、発光素子２２を点灯制御するようになっている。
【０１０４】
このような点灯装置４は、点灯装置カバー５に取付けられ覆われて、本体１の背面側に配置されるようになる。この場合、回路基板４１は、回路部品４２が前面側（図示上、下方側）に向けられて取付けられる。
【０１０５】
点灯装置カバー５は、冷間圧延鋼板等の金属材料によって略四角形の短筒状に形成され、側壁５ａは、前面側に向かって拡開するように傾斜状をなしており、背面壁５ｂの中央部には、開口５ｃが形成されている。
【０１０６】
この点灯装置カバー５は、図１５、図１７及び図１８に示すように、前面側のフランジがシャーシの突出部１２に載置され、ねじ止めされて取付けられる。
【０１０７】
センター部材Ｃｍは、図１４、図１６、図１８に示すように、ＰＢＴ樹脂等の合成樹脂材料で作られ、略短円筒状に形成されており、中央部に引掛けシーリングボディＣｂに対向する開口Ｃｍ１を有している。また、開口Ｃｍ１の周囲には、環状の空間部Ｃｍ２が形成されていて、この空間部Ｃｍ２には、光センサ８が配設されるようになっている。
【０１０８】
さらに、センター部材Ｃｍの前面壁には、光センサ８の受光部と対向する受光窓Ｃｍ３が形成されている。
【０１０９】
このように構成されたセンター部材Ｃｍは、主として図１８に示すように、背面側のフランジが光源部カバー３を介してシャーシにねじ止めされて取付けられている。なお、センター部材Ｃｍは、シャーシに直接的又は間接的に取付けることができ、その具体的な取付構成が限定されるものではない。
【０１１０】
アダプタガイド６は、アダプタＡが挿通し係合する部材である。アダプタガイド６は、図１５及び図１８に示すように、略円筒状に形成され、中央部には、アダプタＡが挿通し、係合する係合口６１が設けられている。このアダプタガイド６は、本体１の中央部に形成された開口１１に対応して配設されている。
【０１１１】
カバー部材７は、アクリル樹脂等の透光性を有し、乳白色を呈する拡散性を備えた材料から略円形状に形成されており、中央部には円形状の開口７ａが形成されている。また、カバー部材７の外周部には、カバー部材化粧枠７ｂが取付けられていて、このカバー部材化粧枠７ｂは、アクリル樹脂等からなる透明材料から形成されている。
【０１１２】
そして、カバー部材７は、光源部２を含めた本体１の前面側を覆うように本体１の外周縁部に着脱可能に取付けられるようになっている。具体的には、カバー部材７を回動することによって、カバー部材７に設けられたカバー部材取付金具７４を、本体１の突出部１４によって形成された凹部に設けられたカバー部材受金具７５に係合することにより取付けられる。
【０１１３】
また、カバー部材７を取外す場合には、カバー部材７を取付時とは反対方向に回動して、カバー部材取付金具７４とカバー部材受金具７５との係合を解くことにより、取外すことができる。
【０１１４】
化粧カバー７１は、図１４及び図１８に示すように、透明のアクリル樹脂等の材料から円形状に形成されている。この化粧カバー７１は、カバー部材７の開口７ａに対応し、センター部材Ｃｍの前面壁に取付けられて、センター部材Ｃｍの開口Ｃｍ１を覆って閉塞するように配設される。
【０１１５】
光センサ８は、図１８に示すように、照度センサであり、フォトダイオード等のセンサ素子からなっていて、周囲の明るさを検知して検出信号を出力するように動作する。これにより、周囲が明るい場合には、光源部２、すなわち、発光素子２２を調光（減光）して点灯するように制御する。
【０１１６】
光センサ８は、基板８１に実装され、その受光部が受光窓Ｃｍ３に対向するようにセンター部材Ｃｍの空間部Ｃｍ２内に配設され取付けられている。より詳しくは、基板８１がセンター部材Ｃｍのボスにねじ止めされ、光センサ８が案内筒に収容され、その受光部が受光窓Ｃｍ３に対向するように配設される。
【０１１７】
間接光光源部９は、本体１の背面側に設けられていて、主として天井面を明るく照らす機能を有している。図１５、図１７及び図１８に示すように、間接光光源部９は、基板９１と、この基板９１に実装された複数の発光素子９２とを備えている。
【０１１８】
この発光素子９２が実装された基板９１が前記点灯装置カバー５の側壁５ａにおける４箇所に取付けられている。また、これら基板９１は、箱状の透光性のカバー９３に覆われるようになっている。
【０１１９】
発光素子９２は、前記光源部２と同様に、ＬＥＤであり、表面実装型のＬＥＤパッケージである。そして、発光素子９２は、点灯装置４に接続されて点灯制御されるようになっている。
【０１２０】
さらに、点灯装置カバー５の背面側には、間接光光源部９の取付位置に対応して、その近傍に照明器具取付用ばね部材１０が取付けられている。ばね部材１０は、ステンレス鋼等の金属製からなり、横長の長方形状の板ばねを折曲して形成されている。ばね部材１０は、中央部に固定部１０ａを有していて、この固定部１０ａから斜め上方（背面側）に向かって延出部１０ｂが形成されて、その先端側には、四角形状をなした当接部１０ｃが形成されている。
【０１２１】
なお、当接部１０ｃには、スポンジやシリコーンゴム等の滑り止め部を接着等によって設けるようにしてもよい。
【０１２２】
アダプタＡは、図１８に示すように、天井面Ｃに設置された引掛けシーリングボディＣｂに、上面側に設けられた引掛刃によって電気的かつ機械的に接続されるもので略円筒状をなし、周壁の両側には一対の係止部Ａ1が、内蔵されたスプリングによって常時外周側
へ突出するように設けられている。この係止部Ａ1は下面側に設けられたレバーを操作す
ることにより没入するようになっている。また、このアダプタＡからは、前記点灯装置４へ接続する電源コードが導出されていて、点灯装置４とコネクタを介して接続されるようになっている。
【０１２３】
赤外線リモコン送信器Ｒｃは、例えば、周波数３８ｋＨｚのパルス状の特定のコード化された赤外線リモコン制御信号を送信するもので、例えば、全光点灯ボタン、調光点灯ボタン、常夜灯ボタンや消灯ボタン等が設けられている。このリモコン送信器Ｒｃを赤外線リモコン信号受光素子２５に向けて操作することによって光源部２における発光素子２２の発光状態、つまり、全光点灯、調光点灯、消灯等の制御を行うことができる。
【０１２４】
次に、照明器具の天井面Ｃへの取付状態について図１８を参照して説明する。まず、予め天井面Ｃに設置されている引掛けシーリングボディＣｂにアダプタＡを電気的かつ機械的に接続する。照明器具の化粧カバー７１を取外した状態において、アダプタガイドの係合口６１をアダプタＡに合わせながら、アダプタＡの係止部Ａ1がアダプタガイドの係合
口６１に確実に係合するまで本体１を照明器具取付用ばね部材１０の弾性力に抗して下方から手で押し上げて取付け操作を行う。
【０１２５】
次いで、化粧カバー７１を取付け、引掛けシーリングボディＣｂに対向するセンター部材Ｃｍの中央部の開口Ｃｍ１を覆って閉塞する。
【０１２６】
この状態においては、照明器具取付用ばね部材１０が弾性変形して、当接部１０ｃが天井面Ｃに弾性的に当接している。したがって、照明器具の本体１は、ばね部材１０のばね作用によって天井面Ｃに確実に固定状態となる。
【０１２７】
また、照明器具を取外す場合には、化粧カバー７１を取外し、センター部材Ｃｍの開口Ｃｍ１を通じてアダプタＡに設けられているレバーを操作してアダプタＡの係止部Ａ1の
係合を解くことにより取外すことができる。
【０１２８】
照明器具の天井面Ｃへの取付状態において、点灯装置４に電力が供給されると、光源部２における基板２１を介して発光素子２２に通電され、各発光素子２２が点灯する。発光素子２２から前面側へ出射された光は、光源部カバー３を透過し、カバー部材７によって拡散され透過して外方へ照射される。したがって、所定の配光範囲で下方が照明されるようになる。
【０１２９】
また、これと同時に、間接光光源部９に通電されると、各発光素子９２が点灯し、発光素子９２から斜め上方に出射された光は、透光性のカバー９３を透過し、主として天井面に照射される。したがって、天井面が明るくなり、明るさ感を向上させることができる。  
【０１３０】
さらに、これら光源部２及び間接光光源部９は、周囲の明るさを検知して検出信号を出力する光センサ８によって、その点灯状態が制御される。
【０１３１】
加えて、補助光源である発光素子２２ａを点灯させることにより、常夜灯として用いることができる。
【０１３２】
一方、発光素子２２から発生する熱は、基板２１の裏面側が本体１と熱的に結合しているため、本体１に効果的に伝導され、広い面積で放熱されるようになる。また、本体１には、突出部１２、１３、１４が形成されているため、放熱面積を増大させることができ、一層放熱効果を高めることが可能となる。さらに、本体１の突出部１２には、点灯装置カバー５が載置され取付けられているので、本体１から点灯装置カバー５に熱が伝導され放熱が促進される。
【０１３３】
以上のように本実施形態によれば、主光源である発光素子２２が実装された基板２１と同一基板に、補助光源としての発光素子２２ａ及び赤外線リモコン信号受光素子２５を実装するようにしたので、リード線等を省略又はその配線長を短くすることが可能で、配線接続関係を簡素化できる。
【０１３４】
さらに、同一基板にチャンネル設定スイッチ２６を実装するようにしたので、配線接続関係を簡素化できる効果を一層高めることができる。
【０１３５】
加えて、光センサ８は、別の基板８１に実装するようにしたので、複数のタイプの照明器具の提供が実現しやすくなる効果を奏することが可能となる。
【０１３６】
なお、本発明は、上記実施形態の構成に限定されることなく、発明の要旨を逸脱しない範囲で種々の変形が可能である。また、上記実施形態は、一例として提示したものであり、発明の範囲を限定することは意図していない。例えば、例えば、発光素子は、ＬＥＤや有機ＥＬ等の固体発光素子が適用でき、この場合、発光素子の個数は特段限定されるものではない。
【符号の説明】
【０１３７】
１・・・本体、２・・・光源部、３・・・拡散部材（レンズ部材）、光源部カバー、４・・・点灯装置、５・・・点灯装置カバー、６・・・取付部（アダプタガイド）、７・・・カバー部材、８・・・光センサ、９・・・間接光光源部、１０・・・照明器具取付用ばね部材、２１・・・基板、２１ａ・・・特定の基板、２２・・・主光源としての発光素子（ＬＥＤ）、２２ａ・・・補助光源としての発光素子（ＬＥＤ）、２３・・・電源供給接続部（コネクタ）、２５・・・赤外線リモコン信号受光素子、２６・・・チャンネル設定スイッチ、３１・・・突条部、３３・・・平坦部、Ａ・・・アダプタ、Ｃ・・・器具取付面（天井面）、Ｃｂ・・・配線器具（引掛けシーリングボディ）、Ｃｍ・・・センター部材、Ｒｃ・・・赤外線リモコン送信器
【図１】
2020145209.tif 000003
【図２】
2020145209.tif 000004
【図３】
2020145209.tif 000005
【図４】
2020145209.tif 000006
【図５】
2020145209.tif 000007
【図６】
2020145209.tif 000008
【図７】
2020145209.tif 000009
【図８】
2020145209.tif 000010
【図９】
2020145209.tif 000011
【図１０】
2020145209.tif 000012
【図１１】
2020145209.tif 000013
【図１２】
2020145209.tif 000014
【図１３】
2020145209.tif 000015
【図１４】
2020145209.tif 000016
【図１５】
2020145209.tif 000017
【図１６】
2020145209.tif 000018
【図１７】
2020145209.tif 000019
【図１８】
2020145209.tif 000020